(57)【要約】【課題】太陽電池パネルを新たに設置する場合に、どの程度の発電量が見込め、どの程度の価値を生むのかを事前に把握できることが求められている。【解決手段】太陽電池パネルの設置領域の価値を導出するシステムであって、太陽電池パネルの設置位置を取得する位置取得部と、設置位置を含み、太陽電池パネルが設置される領域である設置領域を特定する領域特定部と、設置領域の形状を特定する形状特定部と、設置領域の形状に基づいて、設置領域に設置される太陽電池パネルによる発電量を特定する発電量特定部と、発電量に基づいて、設置領域の価値を導出する価値導出部とを備えるシステムを提供する。【選択図】図３
2020135844.tif 000002
【特許請求の範囲】
【請求項１】
太陽電池パネルの設置領域の価値を導出するシステムであって、
太陽電池パネルの設置位置を取得する位置取得部と、
前記設置位置を含み、太陽電池パネルが設置される領域である設置領域を特定する領域特定部と、
前記設置領域の形状を特定する形状特定部と、
前記設置領域の形状に基づいて、前記設置領域に設置される太陽電池パネルによる発電量を特定する発電量特定部と、
前記発電量に基づいて、前記設置領域の価値を導出する価値導出部と
を備えるシステム。
【請求項２】
前記領域特定部は、地図データ又は航空写真データに基づいて、前記設置領域として建物の屋根の領域を特定する、請求項１に記載のシステム。
【請求項３】
前記形状特定部は、三次元地図データ又は三次元航空写真データに基づいて、前記屋根の形状を特定する、請求項２に記載のシステム。
【請求項４】
前記発電量特定部は、
前記屋根の形状に基づいて、太陽電池パネルを設置可能な有効領域の面積を導出する面積導出部と、
前記有効領域が向いている方位及び傾斜角度を特定する方位特定部と、
前記設置位置、前記方位、及び前記傾斜角度に基づいて、前記有効領域の日射量を導出する日射量導出部と、
前記有効領域の面積及び前記日射量に基づいて、前記屋根に設置される太陽電池パネルによる発電量を導出する発電量導出部と
を有する、請求項３に記載のシステム。
【請求項５】
前記価値導出部は、前記建物の築年数及び前記屋根の材質のうちの少なくとも一方にさらに基づいて、前記屋根の価値を導出する、請求項４に記載のシステム。
【請求項６】
前記位置取得部、前記領域特定部、前記形状特定部、前記発電量特定部、及び前記価値導出部を有する情報提供装置と、
前記情報提供装置と通信接続されるユーザ装置と
を備え、
前記ユーザ装置は、
前記設置位置をユーザに入力させる入力制御部と、
前記設置位置を前記情報提供装置に提供する設置位置提供部と
を有し、
前記情報提供装置は、
前記設置領域の価値を前記ユーザ装置に提供する価値提供部
をさらに有する、請求項４に記載のシステム。
【請求項７】
前記情報提供装置は、
前記領域特定部により特定された前記設置領域を示す情報を前記ユーザ装置に提供する設置領域提供部
をさらに有し、
前記ユーザ装置は、
前記設置領域を地図又は航空写真に重畳させて表示部に表示させる表示制御部
をさらに有し、
前記入力制御部は、前記表示部に表示されている前記設置領域を前記ユーザに修正させ、
前記ユーザ装置は、
修正された前記設置領域を示す情報を前記情報提供装置に提供する修正設置領域提供部
をさらに有する、請求項６に記載のシステム。
【請求項８】
前記情報提供装置は、
前記設置位置の付近で撮影された複数の画像を取得する画像取得部と、
前記複数の画像を前記ユーザ装置に提供する画像提供部と
をさらに有し、
前記表示制御部は、前記複数の画像を前記表示部に表示させ、
前記入力制御部は、前記複数の画像のうち太陽電池パネルが設置されるべき前記建物を含む画像を前記ユーザに選択させ、
前記ユーザ装置は、
前記ユーザに選択された前記画像を識別する情報を前記情報提供装置に提供する選択画像提供部
をさらに有し、
前記形状特定部は、前記ユーザに選択された前記画像にさらに基づいて、前記屋根の形状を特定する、請求項７に記載のシステム。
【請求項９】
前記方位特定部は、前記ユーザに選択された前記画像にさらに基づいて、前記有効領域が向いている方位及び傾斜角度を特定する、請求項８に記載のシステム。
【請求項１０】
前記情報提供装置は、
前記ユーザに選択された前記画像に基づいて、前記屋根の材質を特定する材質特定部
をさらに有する、請求項９に記載のシステム。
【請求項１１】
前記情報提供装置は、
前記形状特定部が前記屋根の形状を特定するための情報が不足している場合、前記ユーザに前記建物を撮影することを指示するための撮影要求情報を生成する撮影要求情報生成部と、
前記撮影要求情報を前記ユーザ装置に提供する撮影要求情報提供部と
をさらに有し、
前記ユーザ装置は、
画像を撮像する撮像部と、
前記撮影要求情報に応じて、前記撮像部を起動して前記ユーザに前記建物を撮影することを指示する撮影制御部と、
前記ユーザにより撮影された画像を前記情報提供装置に提供する撮影画像提供部と
をさらに有し、
前記形状特定部は、前記ユーザにより撮影された前記画像にさらに基づいて、前記屋根の形状を特定する、請求項１０に記載のシステム。
【請求項１２】
太陽電池パネルの設置領域の価値を導出する方法であって、
太陽電池パネルの設置位置を取得する段階と、
前記設置位置を含み、太陽電池パネルが設置される領域である設置領域を特定する段階と、
前記設置領域の形状を特定する段階と、
前記設置領域の形状に基づいて、前記設置領域に設置される太陽電池パネルによる発電量を特定する段階と、
前記発電量に基づいて、前記設置領域の価値を導出する段階と
を備える方法。
【請求項１３】
コンピュータに請求項１２に記載の方法を実行させるためのプログラム。
【発明の詳細な説明】
【技術分野】
【０００１】
本発明は、太陽電池パネルの設置領域の価値を導出するシステム、方法及びプログラムに関する。
【背景技術】
【０００２】
雲量の情報を用いて太陽電池パネルの発電量を予測するシステムが知られていた。
［先行技術文献］
［特許文献］
［特許文献１］特開２０１７−０１１７８０号公報
【発明の概要】
【発明が解決しようとする課題】
【０００３】
太陽電池パネルを新たに設置する場合に、どの程度の発電量が見込め、どの程度の価値を生むのかを事前に把握できることが求められている。
【課題を解決するための手段】
【０００４】
上記課題を解決するために、本発明の第１の態様においては、太陽電池パネルの設置領域の価値を導出するシステムを提供する。システムは、太陽電池パネルの設置位置を取得する位置取得部を備えてよい。システムは、設置位置を含み、太陽電池パネルが設置される領域である設置領域を特定する領域特定部をさらに備えてよい。システムは、設置領域の形状を特定する形状特定部をさらに備えてよい。システムは、設置領域の形状に基づいて、設置領域に設置される太陽電池パネルによる発電量を特定する発電量特定部をさらに備えてよい。システムは、発電量に基づいて、設置領域の価値を導出する価値導出部をさらに備えてよい。
【０００５】
領域特定部は、地図データ又は航空写真データに基づいて、設置領域として建物の屋根の領域を特定してよい。形状特定部は、三次元地図データ又は三次元航空写真データに基づいて、屋根の形状を特定してよい。
【０００６】
発電量特定部は、屋根の形状に基づいて、太陽電池パネルを設置可能な有効領域の面積を導出する面積導出部を有してよい。発電量特定部は、有効領域が向いている方位及び傾斜角度を特定する方位特定部をさらに有してよい。発電量特定部は、設置位置、方位、及び傾斜角度に基づいて、有効領域の日射量を導出する日射量導出部をさらに有してよい。発電量特定部は、有効領域の面積及び日射量に基づいて、屋根に設置される太陽電池パネルによる発電量を導出する発電量導出部をさらに有してよい。価値導出部は、建物の築年数及び屋根の材質のうちの少なくとも一方にさらに基づいて、屋根の価値を導出してよい。
【０００７】
システムは、位置取得部、領域特定部、形状特定部、発電量特定部、及び価値導出部を有する情報提供装置を備えてよい。システムは、情報提供装置と通信接続されるユーザ装置をさらに備えてよい。
【０００８】
ユーザ装置は、設置位置をユーザに入力させる入力制御部を有してよい。ユーザ装置は、設置位置を情報提供装置に提供する設置位置提供部をさらに有してよい。情報提供装置は、設置領域の価値をユーザ装置に提供する価値提供部をさらに有してよい。
【０００９】
情報提供装置は、領域特定部により特定された設置領域を示す情報をユーザ装置に提供する設置領域提供部をさらに有してよい。ユーザ装置は、設置領域を地図又は航空写真に重畳させて表示部に表示させる表示制御部をさらに有してよい。入力制御部は、表示部に表示されている設置領域をユーザに修正させてよい。ユーザ装置は、修正された設置領域を示す情報を情報提供装置に提供する修正設置領域提供部をさらに有してよい。
【００１０】
情報提供装置は、設置位置の付近で撮影された複数の画像を取得する画像取得部をさらに有してよい。情報提供装置は、複数の画像をユーザ装置に提供する画像提供部をさらに有してよい。表示制御部は、複数の画像を表示部に表示させてよい。入力制御部は、複数の画像のうち太陽電池パネルが設置されるべき建物を含む画像をユーザに選択させてよい。ユーザ装置は、ユーザに選択された画像を識別する情報を情報提供装置に提供する選択画像提供部をさらに有してよい。形状特定部は、ユーザに選択された画像にさらに基づいて、屋根の形状を特定してよい。
【００１１】
方位特定部は、ユーザに選択された画像にさらに基づいて、有効領域が向いている方位及び傾斜角度を特定してよい。情報提供装置は、ユーザに選択された画像に基づいて、屋根の材質を特定する材質特定部をさらに有してよい。
【００１２】
情報提供装置は、形状特定部が屋根の形状を特定するための情報が不足している場合、ユーザに建物を撮影することを指示するための撮影要求情報を生成する撮影要求情報生成部をさらに有してよい。情報提供装置は、撮影要求情報をユーザ装置に提供する撮影要求情報提供部をさらに有してよい。ユーザ装置は、画像を撮像する撮像部をさらに有してよい。ユーザ装置は、撮影要求情報に応じて、撮像部を起動してユーザに建物を撮影することを指示する撮影制御部をさらに有してよい。ユーザ装置は、ユーザにより撮影された画像を情報提供装置に提供する撮影画像提供部をさらに有してよい。形状特定部は、ユーザにより撮影された画像にさらに基づいて、屋根の形状を特定してよい。
【００１３】
本発明の第２の態様においては、太陽電池パネルの設置領域の価値を導出する方法を提供する。方法は、太陽電池パネルの設置位置を取得する段階を備えてよい。方法は、設置位置を含み、太陽電池パネルが設置される領域である設置領域を特定する段階をさらに備えてよい。方法は、設置領域の形状を特定する段階をさらに備えてよい。方法は、設置領域の形状に基づいて、設置領域に設置される太陽電池パネルによる発電量を特定する段階をさらに備えてよい。方法は、発電量に基づいて、設置領域の価値を導出する段階をさらに備えてよい。
【００１４】
本発明の第３の態様においては、第２の態様に係る方法をコンピュータに実行させるためのプログラムを提供する。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】太陽電池パネルの設置場所の価値を導出するシステム１００の一例を示す。
【図２】太陽電池パネルを設置するための作業工程２００の一例を示す。
【図３】情報提供装置１０４の機能構成の一例を示す。
【図４】ユーザ装置１０２の機能構成の一例を示す。
【図５Ａ】システム１００のシーケンス図の一例を示す。
【図５Ｂ】システム１００のシーケンス図の一例を示す。
【図５Ｃ】システム１００のシーケンス図の一例を示す。
【図５Ｄ】システム１００のシーケンス図の一例を示す。
【図６】Ｓ５０６におけるユーザ装置１０２の表示画面の一例を示す。
【図７】Ｓ５２０におけるユーザ装置１０２の表示画面の一例を示す。
【図８】Ｓ５５８におけるユーザ装置１０２の表示画面の一例を示す。
【図９】Ｓ５７４におけるユーザ装置１０２の表示画面の一例を示す。
【図１０】ユーザ装置１０２又は情報提供装置１０４のハーアドウェア構成の一例を示す。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、本実施形態に係る太陽電池パネルの設置場所の価値を導出するシステム１００の一例を示す。システム１００は、ユーザ装置１０２、情報提供装置１０４、地図データベース１０６、航空写真データベース１０８、画像データベース１１０、及び日射量データベース１１２を備える。ユーザ装置１０２は、例えば、スマートフォン又はタブレット端末である。
【００１９】
地図データベース１０６は、地図データを格納している。地図データベース１０６は、例えば、Ｇｏｏｇｌｅ（登録商標）マップの地図データのデータベースである。地図データは、二次元地図データであってもよく、三次元地図データであってもよい。航空写真データベース１０８は、航空写真データを格納している。航空写真データベース１０８は、例えば、Ｇｏｏｇｌｅ（登録商標）マップの航空写真データのデータベースである。航空写真データは、二次元航空写真データであってもよく、三次元航空写真データであってもよい。画像データベース１１０は、各地点から撮影された複数の画像を格納している。画像データベース１１０は、例えば、Ｇｏｏｇｌｅ（登録商標）マップのストリートビューの画像データのデータベースである。
【００２０】
日射量データベース１１２は、各地点における日射量データを格納している。日射量データベース１１２は、例えば、国立研究開発法人新エネルギー・産業技術総合開発機構（Ｎｅｗ  Ｅｎｅｒｇｙ  ａｎｄ  Ｉｎｄｕｓｔｒｉａｌ  Ｔｅｃｈｎｏｌｏｇｙ  Ｄｅｖｅｌｏｐｍｅｎｔ  Ｏｒｇａｎｉｚａｔｉｏｎ；ＮＥＤＯ）の日射量データベース閲覧システムの日射量データベースである。
【００２１】
ユーザ装置１０２は、インターネット等のネットワーク１１４を介して、情報提供装置１０４と通信接続されて情報を送受信する。また、ユーザ装置１０２は、ネットワーク１１４を介して、地図データベース１０６及び航空写真データベース１０８から各種データを取得する。
【００２２】
情報提供装置１０４は、ネットワーク１１４を介して、ユーザ装置１０２と通信接続されて情報を送受信する。また、情報提供装置１０４は、ネットワーク１１４を介して、地図データベース１０６、航空写真データベース１０８、画像データベース１１０、及び日射量データベース１１２から各種データを取得する。
【００２３】
情報提供装置１０４は、ユーザ装置１０２からの情報に基づいて、ユーザが希望する太陽電池パネル１１８の設置場所１２０を特定する。情報提供装置１０４は、地図データベース１０６の地図データ、航空写真データベース１０８の航空写真データ、又は画像データベース１１０の画像データに基づいて、設置場所１２０の情報を特定する。設置場所１２０の情報は、例えば、太陽電池パネル１１８が設置される予定の屋根の位置及び形状である。情報提供装置１０４は、設置場所１２０の情報及び日射量データベース１１２の日射量データに基づいて、設置場所１２０に太陽電池パネル１１８が設置された場合に見込まれる太陽電池パネルによる未来の所定の期間における発電量を特定し、設置場所１２０の価値を導出する。情報提供装置１０４は、設置場所１２０の価値をユーザ装置１０２に提供する。
【００２４】
本実施形態に係るシステム１００によれば、太陽電池パネル１１８が設置された場合に見込まれる未来の発電量から導出された価値を、ユーザ装置１０２を通じてユーザに提供できる。そのため、ユーザは、太陽電池パネル１１８を設置するべきか否かを適切かつ簡便に判断できる。
【００２５】
図２は、本実施形態に係る作業工程２００の一例を示す。Ｓ２０２では、情報提供装置１０４は、太陽電池パネル１１８の設置場所１２０を特定する。例えば、情報提供装置１０４は、ユーザ装置１０２上で実行されているアプリケーションにおいてユーザによって指定された位置を示す情報を取得する。そして、情報提供装置１０４は、ユーザが太陽電池パネル１１８の設置を予定している設置場所１２０を特定する。Ｓ２０４では、情報提供装置１０４は、設置場所１２０の情報を取得する。例えば、情報提供装置１０４は、設置場所１２０に存在する建物の屋根の情報を取得する。具体的には、情報提供装置１０４は、地図データ又は航空写真データ等を利用して、屋根の形状、方位、及び傾斜角度等を取得する。
【００２６】
Ｓ２０６では、情報提供装置１０４は、太陽電池パネルによる未来の発電量を試算する。例えば、情報提供装置１０４は、屋根の形状、方位、傾斜角度、及び日射量データ等から、太陽電池パネルによる未来の発電量を試算する。Ｓ２０８では、情報提供装置１０４は、設置場所１２０の価値を算出する。例えば、情報提供装置１０４は、太陽電池パネルによる未来の発電量及び単位電力量の売電価格等から、設置場所１２０の価値を算出する。
【００２７】
Ｓ２１０では、情報提供装置１０４は、Ｓ２０８で算出された設置場所１２０の価値を簡易見積としてユーザに提示する。例えば、情報提供装置１０４は、設置場所１２０の価値をユーザ装置１０２に送信する。そして、ユーザ装置１０２は、アプリケーションの画面に設置場所１２０の価値を表示する。
【００２８】
Ｓ２１２では、運営会社は、ユーザからの依頼に応じて、営業担当者を派遣して設置場所１２０の現地調査を行う。Ｓ２１４では、営業担当者は、現地調査の結果に基づいて作成された設置場所１２０の価値の見積をユーザに提示する。Ｓ２１６では、運営会社とユーザとは、太陽電池パネル１１８の設置に関する契約を締結する。Ｓ２１８では、運営会社は、太陽電池パネル１１８及びパワーコンディショニングサブシステム（Ｐｏｗｅｒ  Ｃｏｎｄｉｔｉｏｎｉｎｇ  Ｓｕｂｓｙｓｔｅｍ；ＰＣＳ）を含む太陽光発電設備の設置に着工する。Ｓ２２０では、運営会社は、太陽光発電設備の設置を完工する。
【００２９】
Ｓ２２２では、運営会社は、締結された契約に従って、設置場所１２０の価値に対応する額の金銭をユーザに対して支払う。例えば、運営会社は、設置場所１２０の価値に対応する額の金銭をユーザに対して一括で支払う。運営会社は、設置場所１２０の価値に対応する額の金銭をユーザに対して分割で支払ってもよい。
【００３０】
本実施形態の作業工程２００によれば、運営会社による現地調査等の時間を要する作業の前に、ユーザ装置１０２を通じてユーザに簡易見積を提示できる。また、ユーザは、未来の発電量に対応する額の金銭を実際に発電される前に受け取ることができる。そのため、ユーザが太陽電池パネルの設置を検討しやすくなり、再生可能エネルギーの利用促進に貢献できる。
【００３１】
図３は、情報提供装置１０４の機能構成の一例を示す。情報提供装置１０４は、通信部３００、位置取得部３０２、領域特定部３０４、地図データ取得部３０６、航空写真データ取得部３０８、設置領域提供部３１０、形状特定部３１２、画像取得部３１４、画像提供部３１６、撮影要求情報生成部３１８、撮影要求情報提供部３２０、発電量特定部３２４、日射量データ取得部３３６、発電量提供部３３８、価値導出部３４０、材質特定部３４１、及び価値提供部３４２を備える。なお、情報提供装置１０４がこれらの全ての構成を備えることは必須とは限らない。情報提供装置１０４は、太陽電池パネル１１８の設置領域の価値を導出するシステムの一例である。
【００３２】
通信部３００は、ネットワーク１１４を介して、ユーザ装置１０２、地図データベース１０６、航空写真データベース１０８、画像データベース１１０、及び日射量データベース１１２と通信する。地図データ取得部３０６は、通信部３００を用いて、地図データベース１０６から地図データを取得する。航空写真データ取得部３０８は、航空写真データを取得する。航空写真データ取得部３０８は、通信部３００を用いて、航空写真データベース１０８から航空写真データを取得する。
【００３３】
位置取得部３０２は、通信部３００を用いて、太陽電池パネル１１８の設置位置をユーザ装置１０２から取得する。
【００３４】
領域特定部３０４は、太陽電池パネル１１８が設置される領域である設置領域を特定する。領域特定部３０４は、位置取得部３０２により取得された設置位置を含む領域を設置領域として特定する。領域特定部３０４は、地図データ取得部３０６により取得された地図データ又は航空写真データ取得部３０８により取得された航空写真データに基づいて、設置領域を特定する。領域特定部３０４は、例えば、航空写真の色度の情報を利用して、設置位置を含む設置領域を特定する。領域特定部３０４は、設置位置の色度から予め定められた範囲の色度を有する領域を設置領域として特定する。建物の屋根の領域は、設置領域の一例である。
【００３５】
設置領域提供部３１０は、通信部３００を用いて、領域特定部３０４により特定された設置領域を示す情報をユーザ装置１０２に提供する。
【００３６】
画像取得部３１４は、通信部３００を用いて、画像データベース１１０から画像を取得する。画像取得部３１４は、太陽電池パネル１１８の設置位置の付近で撮影された複数の画像を取得する。
【００３７】
画像提供部３１６は、通信部３００を用いて、画像取得部３１４により取得された複数の画像をユーザ装置１０２に提供する。画像提供部３１６は、複数の画像のうち太陽電池パネル１１８が設置されるべき建物を含む画像をユーザに選択させるべく、複数の画像をユーザ装置１０２に提供する。
【００３８】
形状特定部３１２は、領域特定部３０４により特定された設置領域の形状を特定する。形状特定部３１２は、地図データ取得部３０６により取得された三次元地図データ又は航空写真データ取得部３０８により取得された三次元航空写真データに基づいて、設置領域の形状を特定する。形状特定部３１２は、画像提供部３１６がユーザ装置１０２に提供した複数の画像のうちでユーザに選択された画像にさらに基づいて、設置領域の形状を特定してもよい。
【００３９】
発電量特定部３２４は、形状特定部３１２により特定された設置領域の形状に基づいて、設置領域に設置される太陽電池パネルによる発電量を特定する。発電量特定部３２４は、面積導出部３２６、方位特定部３２８、日射量特定部３３０、及び発電量導出部３３２を備える。
【００４０】
面積導出部３２６は、形状特定部３１２により特定された設置領域の形状に基づいて、太陽電池パネル１１８を設置可能な有効領域の面積を導出する。面積導出部３２６は、太陽電池パネル１１８の寸法及び大きさに応じて、有効領域の面積を導出してもよい。
【００４１】
方位特定部３２８は、面積導出部３２６により導出された有効領域が向いている方位及び傾斜角度を特定する。方位特定部３２８は、地図データ又は航空写真データに基づいて、有効領域が向いている方位及び傾斜角度を特定する。方位特定部３２８は、画像提供部３１６がユーザ装置１０２に提供した複数の画像のうちでユーザに選択された画像にさらに基づいて、有効領域が向いている方位及び傾斜角度を特定してもよい。方位特定部３２８は、例えば、航空写真の彩度の情報を利用して、有効領域が向いている方位を特定する。
【００４２】
日射量特定部３３０は、位置取得部３０２により取得された設置位置、並びに方位特定部３２８により特定された方位及び傾斜角度に基づいて、面積導出部３２６により導出された有効領域の日射量を導出する。日射量データ取得部３３６は、通信部３００を用いて、日射量データベース１１２から日射量データを取得する。日射量特定部３３０は、日射量データ取得部３３６が取得した日射量データにさらに基づいて、有効領域の日射量を導出してもよい。
【００４３】
日射量特定部３３０は、位置取得部３０２により取得された設置位置の環境情報にさらに基づいて、面積導出部３２６により導出された有効領域の日射量を導出してもよい。例えば、日射量特定部３３０は、地図データ取得部３０６により取得された三次元地図データ又は航空写真データ取得部３０８により取得された三次元航空写真データに基づいて、設置位置の周囲の建物の形状及び寸法を特定する。そして、日射量特定部３３０は、建物の形状及び寸法並びに設置位置の緯度経度に基づいて、太陽光が有効領域に当たる期間又は当たらない期間を導出する。そして、日射量特定部３３０は、太陽光が有効領域に当たる期間又は当たらない期間と日射量データとに基づいて、有効領域の日射量を導出する。
【００４４】
発電量導出部３３２は、面積導出部３２６により導出された有効領域の面積、及び日射量特定部３３０により特定された日射量に基づいて、設置領域に設置される太陽電池パネルによる所定の期間の発電量を導出する。発電量導出部３３２は、例えば、太陽電池パネルによる単位時間毎の発電量を算出して積算することにより、太陽電池パネルによる所定の期間の発電量を導出する。所定の期間は、例えば、契約年数である。
【００４５】
発電量提供部３３８は、通信部３００を用いて、発電量特定部３２４により特定された発電量をユーザ装置１０２に提供する。発電量提供部３３８は、例えば、発電量導出部３３２により導出された太陽電池パネルによる所定の期間の発電量をユーザ装置１０２に提供する。発電量提供部３３８は、発電量導出部３３２により生成された太陽電池パネルによる所定の期間における単位時間毎の発電量をユーザ装置１０２に提供してもよい。
【００４６】
材質特定部３４１は、領域特定部３０４により特定された設置領域に存在する物質の材質を特定する。材質特定部３４１は、地図データ取得部３０６により取得された地図データ又は航空写真データ取得部３０８により取得された航空写真データに基づいて、設置領域に存在する物質の材質を特定する。材質特定部３４１は、画像提供部３１６がユーザ装置１０２に提供した複数の画像のうちでユーザに選択された画像にさらに基づいて、設置領域に存在する物質の材質を特定してもよい。
【００４７】
撮影要求情報生成部３１８は、ユーザに設置領域を撮影することを指示するための撮影要求情報を生成する。撮影要求情報生成部３１８は、形状特定部３１２が設置領域の形状を特定するための情報が不足している場合、方位特定部３２８が有効領域が向いている方位若しくは傾斜角度を特定するための情報が不足している場合、又は材質特定部３４１が設置領域の材質を特定するための情報が不足している場合、撮影要求情報を生成する。撮影要求情報提供部３２０は、通信部３００を用いて、撮影要求情報をユーザ装置１０２に提供する。
【００４８】
画像取得部３１４は、通信部３００を用いて、ユーザにより撮影された画像をユーザ装置１０２から取得する。形状特定部３１２は、ユーザにより撮影された画像にさらに基づいて、設置領域の形状を特定してもよい。方位特定部３２８は、ユーザにより撮影された画像にさらに基づいて、有効領域が向いている方位又は傾斜角度をしてもよい。材質特定部３４１は、ユーザにより撮影された画像にさらに基づいて、設置領域の材質を特定してもよい。
【００４９】
価値導出部３４０は、発電量特定部３２４により特定された発電量に基づいて、領域特定部３０４により特定された設置領域の価値を導出する。価値導出部３４０は、例えば、領域特定部３０４により特定された屋根の価値を導出する。価値導出部３４０は、建物の築年数及び屋根の材質の少なくとも一方にさらに基づいて、屋根の価値を導出してもよい。価値提供部３４２は、通信部３００を用いて、価値導出部３４０により導出された設置領域の価値をユーザ装置１０２に提供する。
【００５０】
図４は、ユーザ装置１０２の機能構成の一例を示す。ユーザ装置１０２は、通信部４００、表示制御部４０２、地図データ取得部４０４、航空写真データ取得部４０６、表示部４０８、入力制御部４１０、入力部４１２、設置位置提供部４１４、設置領域取得部４１６、修正設置領域提供部４１８、画像取得部４２０、選択画像提供部４２２、撮影制御部４２４、撮影要求情報取得部４２６、撮像部４２８、及び撮像画像提供部４３０を備える。ユーザ装置１０２が備えるこれらの機能は、ユーザ装置１０２に事前にインストールされたアプリケーションにより実現される。なお、ユーザ装置１０２がこれらの全ての構成を備えることは必須とは限らない。ユーザ装置１０２は、太陽電池パネル１１８の設置領域の価値を導出するシステムの一例である。
【００５１】
通信部４００は、ネットワーク１１４を介して、情報提供装置１０４、地図データベース１０６、及び航空写真データベース１０８と通信する。地図データ取得部４０４は、通信部４００を用いて、地図データベース１０６から地図データを取得する。航空写真データ取得部４０６は、通信部４００を用いて、航空写真データベース１０８から航空写真データを取得する。
【００５２】
表示制御部４０２は、地図データ取得部４０４により取得された地図データ又は航空写真データ取得部４０６により取得された航空写真データを用いて、表示部４０８に地図又は航空写真を表示させる。表示制御部４０２は、ユーザ装置１０２がアプリケーションを起動したタイミングで地図データ又は航空写真データを表示部４０８に表示させる。表示部４０８は、例えば、タッチパネルディスプレイである。
【００５３】
入力制御部４１０は、太陽電池パネル１１８の設置位置をユーザに入力させる。入力部４１２は、ユーザからの入力を受け付ける。入力部４１２は、例えば、タッチパネルディスプレイである。設置位置提供部４１４は、通信部４００を用いて、ユーザにより入力された設置位置を情報提供装置１０４に提供する。
【００５４】
設置領域取得部４１６は、通信部４００を用いて、太陽電池パネル１１８が設置される領域である設置領域を情報提供装置１０４から取得する。表示制御部４０２は、地図又は航空写真に重畳させて、設置領域取得部４１６により取得された設置領域を表示部４０８に表示させる。入力制御部４１０は、表示部４０８に表示されている設置領域をユーザに修正させる。修正設置領域提供部４１８は、通信部４００を用いて、ユーザにより修正された設置領域を示す情報を情報提供装置１０４に提供する。
【００５５】
画像取得部４２０は、通信部４００を用いて、太陽電池パネル１１８の設置位置の付近で撮影された複数の画像を情報提供装置１０４から取得する。表示制御部４０２は、画像取得部４２０により取得された複数の画像を表示部４０８に表示させる。入力制御部４１０は、画像取得部４２０により取得された複数の画像のうち太陽電池パネル１１８が設置されるべき建物を含む画像をユーザに選択させる。選択画像提供部４２２は、通信部４００を用いて、ユーザにより選択された画像を識別する情報を情報提供装置１０４に提供する。
【００５６】
撮影要求情報取得部４２６は、通信部４００を用いて、ユーザに設置領域を撮影することを指示するための撮影要求情報を情報提供装置１０４から取得する。撮影制御部４２４は、撮影要求情報取得部４２６により取得された撮影要求情報に応じて、画像を撮像する撮像部４２８を起動してユーザに太陽電池パネル１１８が設置されるべき建物を撮影することを指示する。撮像画像提供部４３０は、通信部４００を用いて、ユーザにより撮影された画像を情報提供装置１０４に提供する。
【００５７】
表示制御部４０２は、情報提供装置１０４から提供された設置領域の価値を表示部４０８に表示させる。表示制御部４０２は、建物の築年数、契約年数、及び屋根の材質を表示部４０８にさらに表示させてもよい。入力制御部４１０は、表示部４０８に表示されている建物の築年数、契約年数、及び屋根の材質をユーザに修正させてもよい。
【００５８】
他の実施形態においては、図３に示された情報提供装置１０４の全部又は一部の機能をユーザ装置１０２が備えてもよい。例えば、情報提供装置１０４の領域特定部３０４の機能をユーザ装置１０２が備える。この場合、ユーザ装置１０２は、太陽電池パネル１１８が設置される領域である設置領域を特定し、設置領域を情報提供装置１０４に送信する。また、情報提供装置１０４の形状特定部３１２の機能をユーザ装置１０２が備えてもよい。この場合、ユーザ装置１０２は、設置領域の形状を特定し、設置領域の形状を情報提供装置１０４に送信する。また、情報提供装置１０４の発電量特定部３２４の機能をユーザ装置１０２が備えてもよい。この場合、ユーザ装置１０２は、設置領域に設置される太陽電池パネルによる発電量を特定し、設置領域に設置される太陽電池パネルによる発電量を情報提供装置１０４に送信する。また、情報提供装置１０４の価値導出部３４０の機能をユーザ装置１０２が備えてもよい。この場合、ユーザ装置１０２は、設置領域の価値を導出し、設置領域に設置される太陽電池パネルによる発電量を情報提供装置１０４に送信する。
【００５９】
図５Ａから図５Ｄは、本実施形態に係るシステム１００のシーケンス図の一例を示す。図５Ａを参照すると、Ｓ５０２では、ユーザ装置１０２は、ユーザからの指示入力に応答して、屋根の価値を算定するアプリケーションを起動する。Ｓ５０４では、表示部４０８は、地図又は航空写真を表示する。例えば、地図データ取得部４０４は、ユーザ装置１０２の現在位置を含む地図データを取得し、表示制御部４０２が表示部４０８に地図を表示させる。また、航空写真データ取得部４０６は、ユーザ装置１０２の現在位置を含む航空写真データを取得し、表示制御部４０２が表示部４０８に航空写真を表示させてもよい。
【００６０】
Ｓ５０６では、入力制御部４１０は、太陽電池パネル１１８の設置位置をユーザに入力させる。入力制御部４１０は、表示部４０８に表示されている地図上で設置位置を指定させてもよい。また、入力制御部４１０は、設置位置の住所を入力させてもよい。Ｓ５０８では、入力制御部４１０は、ユーザにより設置位置が決定されたか否かを判定する。設置位置が決定された場合、Ｓ５１０に進む。設置位置が決定されていない場合、Ｓ５０６に戻る。Ｓ５１０では、設置位置提供部４１４は、ユーザにより決定された設置位置を情報提供装置１０４に提供する。例えば、設置位置提供部４１４は、設置位置の緯度及び経度を情報提供装置１０４に提供する。
【００６１】
Ｓ５１２では、情報提供装置１０４において、位置取得部３０２は、太陽電池パネル１１８の設置位置をユーザ装置１０２から取得する。Ｓ５１４では、領域特定部３０４は、太陽電池パネル１１８が設置される屋根の領域を特定する。Ｓ５１６では、設置領域提供部３１０は、領域特定部３０４により特定された屋根の領域を示す情報をユーザ装置１０２に提供する。
【００６２】
Ｓ５１８では、ユーザ装置１０２において、設置領域取得部４１６は、屋根の領域を示す情報を情報提供装置１０４から取得する。Ｓ５２０では、表示部４０８は、地図又は航空写真に重畳させて屋根の領域を表示する。Ｓ５２２では、入力制御部４１０は、表示部４０８に表示されている屋根の領域をユーザに修正させる。Ｓ５２４では、入力制御部４１０は、ユーザにより屋根の領域が決定されたか否かを判定する。屋根の領域が決定された場合、Ｓ５２６に進む。屋根の領域が決定されていない場合、Ｓ５２２に戻る。
【００６３】
図５Ｂを参照すると、Ｓ５２６では、修正設置領域提供部４１８は、ユーザにより決定された屋根の領域を示す情報を情報提供装置１０４に提供する。Ｓ５２２においてユーザにより屋根の領域が修正された場合には、修正設置領域提供部４１８は、修正された屋根の領域を示す情報を情報提供装置１０４に提供する。Ｓ５２２においてユーザにより屋根の領域が修正されなかった場合には、修正設置領域提供部４１８は、設置領域取得部４１６により取得された屋根の領域を示す情報を情報提供装置１０４に提供する。
【００６４】
Ｓ５２８では、情報提供装置１０４は、屋根の領域を示す情報をユーザ装置１０２から取得する。Ｓ５３０では、画像取得部３１４は、太陽電池パネル１１８の設置位置の付近で撮影された複数の画像を画像データベース１１０から取得する。Ｓ５３２では、画像提供部３１６は、太陽電池パネル１１８の設置位置の付近で撮影された複数の画像をユーザ装置１０２に提供する。
【００６５】
Ｓ５３４では、ユーザ装置１０２において、画像取得部４２０は、太陽電池パネル１１８の設置位置の付近で撮影された複数の画像を情報提供装置１０４から取得する。Ｓ５３６では、表示部４０８は、太陽電池パネル１１８の設置位置の付近で撮影された複数の画像を表示する。Ｓ５３８では、入力制御部４１０は、複数の画像のうち太陽電池パネル１１８が設置されるべき建物を含む画像をユーザに選択させる。５４２では、入力制御部４１０は、ユーザにより画像が決定されたか否かを判定する。画像が決定された場合、Ｓ５４２に進む。画像が決定されていない場合、Ｓ５３８に戻る。Ｓ５４２では、選択画像提供部４２２は、ユーザにより選択された画像を識別する情報を情報提供装置１０４に提供する。
【００６６】
Ｓ５４４では、情報提供装置１０４は、ユーザにより選択された画像を識別する情報を取得する。Ｓ５４６では、形状特定部３１２は、屋根の形状を特定する。面積導出部３２６は、形状特定部３１２により特定された屋根の形状に基づいて、太陽電池パネル１１８を設置可能な有効領域の面積を導出する。方位特定部３２８は、屋根の有効領域が向いている方位及び傾斜角度を特定する。材質特定部３４１は、領域特定部３０４により特定された屋根の材質を特定する。
【００６７】
屋根が複数の面で構成されている場合、面積導出部３２６は、屋根の複数の面のそれぞれについて、太陽電池パネル１１８を設置可能な有効領域の面積を導出してよい。方位特定部３２８は、屋根の複数の面のそれぞれの有効領域が向いている方位及び傾斜角度を特定してよい。材質特定部３４１は、屋根の複数の面のそれぞれの材質を特定してよい。
【００６８】
形状特定部３１２は、ビックデータ及びマシンラーニング技術を用いて、屋根の形状を特定してもよい。形状特定部３１２は、形状特定部３１２が過去に特定した屋根の形状と実物の屋根の形状との組み合わせを教師データとして学習してもよい。方位特定部３２８は、ビックデータ及びマシンラーニング技術を用いて、屋根の有効領域が向いている方位及び傾斜角度を特定してもよい。方位特定部３２８は、屋根の位置と屋根の有効領域が向いている方位及び傾斜角度との組み合わせを教師データとして学習してもよい。材質特定部３４１は、ビックデータ及びマシンラーニング技術を用いて、屋根の材質を特定してもよい。材質特定部３４１は、屋根の写真と屋根の材質との組み合わせを教師データとして学習してもよい。
【００６９】
Ｓ５４８では、屋根の形状、屋根の有効領域が向いている方位及び傾斜角度、並びに屋根の材質のそれぞれが特定可能であったかが判定される。屋根の形状、屋根の有効領域が向いている方位及び傾斜角度、並びに屋根の材質の全てが特定されている場合、Ｓ５６４に進む。屋根の形状、屋根の有効領域が向いている方位及び傾斜角度、並びに屋根の材質のうちの少なくとも１つが特定されていない場合、Ｓ５５０に進む。
【００７０】
図５Ｃを参照すると、Ｓ５５０では、撮影要求情報生成部３１８は、ユーザに屋根の領域を撮影することを指示するための撮影要求情報を生成する。Ｓ５５２では、撮影要求情報提供部３２０は、撮影要求情報をユーザ装置１０２に提供する。
【００７１】
Ｓ５５４では、ユーザ装置１０２において、撮影要求情報取得部４２６は、撮影要求情報を情報提供装置１０４から取得する。Ｓ５５６では、撮影制御部４２４は、Ｓ５５４で取得された撮影要求情報に応じて、撮像部４２８であるカメラを起動する。Ｓ５５８では、撮影制御部４２４は、太陽電池パネル１１８が設置されるべき建物を撮影することをユーザに指示する。Ｓ５６０では、撮像画像提供部４３０は、ユーザにより撮影された画像を情報提供装置１０４に提供する。
【００７２】
Ｓ５６２では、情報提供装置１０４において、画像取得部３１４は、ユーザにより撮影された画像をユーザ装置１０２から取得する。画像取得部３１４がユーザにより撮影された画像をユーザ装置１０２から取得すると、Ｓ５４６に戻る。
【００７３】
Ｓ５６４では、日射量データ取得部３３６は、日射量データベース１１２から日射量データを取得する。Ｓ５６６では、発電量特定部３２４は、屋根の形状に基づいて、屋根に設置される太陽電池パネルによる発電量を特定する。発電量特定部３２４は、屋根が複数の面で構成されている場合、屋根の複数の面のそれぞれに設置可能な太陽電池パネルによる発電量を特定してもよい。発電量特定部３２４は、一例として、以下の計算式により単位時間毎の発電量を算出して積算する。
【数１】
2020135844.tif 000003
ここで、Epmは、屋根に設置される太陽電池パネルによる単位時間の発電量（ｋＷｈ）である。Ｋは、太陽電池パネルにより発電された電力を変換するパワーコンディショナーの変換効率から定まる係数である。ＧＳは、ＪＩＳ規格で規定される標準試験条件における日射強度であり、通常１ｋＷｈ／ｍ２である。ＰＡＳは、有効領域に設置される太陽電池パネルの定格出力の合計値である。ＨＡＭは、太陽電池パネルが設置される屋根の単位時間の日射量である。なお、太陽電池パネルが設置される屋根の単位時間の日射量は、屋根の形状、屋根の有効領域が向いている方位及び傾斜角度、並びに日射量データから導出される。単位時間は、例えば、月単位、週単位、日単位、６０分単位又は３０分単位である。
【００７４】
発電量特定部３２４は、設置位置の付近の過去の雲量を示す雲量データを用いて、発電量を特定してもよい。また、発電量特定部３２４は、設置位置の周囲に既に設置された太陽電池パネルによる発電量の実績データを用いて、発電量を特定してもよい。また、発電量特定部３２４は、ビックデータ及びマシンラーニング技術を用いて、発電量を特定してもよい。発電量特定部３２４は、実物の屋根の形状、太陽電池パネルの面積、太陽電池パネルが向いている方位及び傾斜角度、屋根の材質、過去の日射量データ、並びに過去の雲量データの少なくとも１つと太陽電池パネルによる発電量の実績データとの組み合わせを教師データとして学習してもよい。
【００７５】
Ｓ５６８では、価値導出部３４０は、発電量特定部３２４により特定された発電量に基づいて、屋根の価値を導出する。価値導出部３４０は、例えば、発電量特定部３２４により特定された発電量、材質特定部３４１により特定された屋根の材質、所定の期間としての契約年数、及び建物の築年数から屋根の価値を導出する。価値導出部３４０は、契約年数が特定されていない場合、予め定められたデフォルト値の契約年数を所定の期間として屋根の価値を導出してもよい。予め定められたデフォルト値の契約年数は、例えば２０年である。また、価値導出部３４０は、建物の築年数が特定されていない場合、予め定められたデフォルト値の築年数を用いて屋根の価値を導出してもよい。建物の築年数のデフォルト値は、例えば５年である。
【００７６】
価値導出部３４０は、ビックデータ及びマシンラーニング技術を用いて、デフォルト値の契約年数を特定してもよい。価値導出部３４０は、ユーザの年齢又は家族構成等のユーザの属性情報、建物の種類、大きさ、画像等の建物の属性情報、及び設置位置が属する地域の属性情報のうちの少なくとも一部と実際の契約年数との組み合わせを教師データとして学習してもよい。また、価値導出部３４０は、ビックデータ及びマシンラーニング技術を用いて、デフォルト値の築年数を特定してもよい。価値導出部３４０は、建物の種類、大きさ、画像等の建物の属性情報と実際の築年数との組み合わせを教師データとして学習してもよい。
【００７７】
Ｓ５７０では、価値提供部３４２は、価値導出部３４０により導出された屋根の価値をユーザ装置１０２に提供する。発電量提供部３３８は、発電量特定部３２４により特定された発電量をユーザ装置１０２にさらに提供してもよい。Ｓ５７２では、ユーザ装置１０２は、屋根の価値を情報提供装置１０４から取得する。ユーザ装置１０２は、発電量を情報提供装置１０４からさらに取得してもよい。
【００７８】
図５Ｄを参照すると、Ｓ５７４では、ユーザ装置１０２において、表示部４０８は、価値導出部３４０により導出された屋根の価値を表示する。表示部４０８は、屋根の価値とともに、建物の築年数、契約年数、及び屋根の材質を表示してもよい。また、表示部４０８は、発電量をさらに表示してもよい。Ｓ５７６では、入力制御部４１０は、表示部４０８に表示されている建物の築年数、契約年数、及び屋根の材質をユーザに修正させる。Ｓ５７８では、入力制御部４１０は、建物の築年数、契約年数、及び屋根の材質がユーザにより決定されたか否かを判定する。建物の築年数、契約年数、及び屋根の材質が決定された場合、Ｓ５８０に進む。建物の築年数、契約年数、及び屋根の材質が決定されていない場合、Ｓ５７６に戻る。Ｓ５８０では、ユーザ装置１０２は、ユーザにより決定された屋根の材質、契約年数、及び建物の築年数を情報提供装置１０４に提供する。
【００７９】
Ｓ５８２では、情報提供装置１０４は、屋根の材質、契約年数、及び建物の築年数をユーザ装置１０２から取得する。Ｓ５８４では、価値導出部３４０は、ユーザにより屋根の材質、契約年数、及び建物の築年数のいずれかが修正された場合、屋根の価値を更新する。Ｓ５８６では、価値提供部３４２は、屋根の価値が更新された場合、更新された屋根の価値をユーザ装置１０２に提供する。
【００８０】
Ｓ５８８では、ユーザ装置１０２は、更新された屋根の価値を情報提供装置１０４から取得する。Ｓ５９０では、表示部４０８は、更新された屋根の価値を表示する。
【００８１】
他の実施形態においては、図５ＡのＳ５２２から図５ＢのＳ５２８までは、実行されなくてもよい。この場合、Ｓ５４６では、形状特定部３１２は、Ｓ５１４において領域特定部３０４により特定された屋根の領域に基づいて、屋根の形状を特定する。
【００８２】
他の実施形態においては、図５ＢのＳ５３２からＳ５４４までは、実行されなくてもよい。この場合、情報提供装置１０４は、Ｓ５３０において画像取得部３１４により画像データベース１１０から取得された太陽電池パネル１１８の設置位置の付近で撮影された複数の画像から太陽電池パネル１１８が設置されるべき建物を含む画像を選択する。Ｓ５４６では、形状特定部３１２は、情報提供装置１０４により選択された画像に基づいて、屋根の形状を特定してもよい。方位特定部３２８は、情報提供装置１０４により選択された画像に基づいて、有効領域が向いている方位及び傾斜角度を特定してもよい。材質特定部３４１は、情報提供装置１０４により選択された画像に基づいて、領域特定部３０４により特定された屋根の材質を特定してもよい。
【００８３】
他の実施形態においては、図５ＣのＳ５４８から図５ＤのＳ５６２までは、実行されなくてもよい。この場合、Ｓ５４６では、形状特定部３１２は、屋根の形状が特定されていない場合、予め定められたデフォルト値の屋根の形状を用いて屋根の形状を特定する。面積導出部３２６は、太陽電池パネル１１８を設置可能な有効面積が特定されていない場合、予め定められたデフォルト値の有効面積を用いて有効面積を特定する。方位特定部３２８は、屋根の有効領域が向いている方位及び傾斜角度が特定されていない場合、予め定められたデフォルト値の方位及び傾斜角度を用いて方位及び傾斜角度を特定する。材質特定部３４１は、領域特定部３０４により特定された屋根の材質が特定されていない場合、予め定められたデフォルト値の屋根の材質を用いて屋根の材質を特定する。
【００８４】
図６は、Ｓ５０６におけるユーザ装置１０２の表示画面の一例を示す。表示部４０８は、地図表示領域６０２、住所入力領域６０４、ＧＰＳ検索ボタン６０６、及びＯＫボタン６１０を含む表示画面を表示する。表示制御部４０２は、地図表示領域６０２に地図を表示させる。住所入力領域６０４に住所が入力されると、表示制御部４０２は、入力された住所に対応する地図上の位置にマーク６０８を表示させる。ＧＰＳ検索ボタン６０６が選択されると、ユーザ装置１０２は、ユーザ装置１０２の緯度及び経度を特定し、特定された緯度及び経度に対応する地図上の位置にマーク６０８を表示させる。表示制御部４０２は、ユーザからの指示入力に応答して、地図上のマーク６０８の位置を変更する。
【００８５】
ユーザは、太陽電池パネル１１８を設置する予定の位置とマーク６０８の位置とが一致することを確認して、ＯＫボタン６１０を選択する。ＯＫボタン６１０が選択されると、ユーザ装置１０２の設置位置提供部４１４は、太陽電池パネル１１８の設置位置として、マーク６０８の位置を情報提供装置１０４に提供する。
【００８６】
図７は、Ｓ５２０におけるユーザ装置１０２の表示画面の一例を示す。表示部４０８は、地図表示領域７０２及びＯＫボタン７０６を含む表示画面を表示する。表示制御部４０２は、地図表示領域７０２に地図を表示させる。表示制御部４０２は、情報提供装置１０４の設置領域提供部３１０により提供された屋根の領域７０４を地図上に表示させる。表示制御部４０２は、ユーザからの指示入力に応答して、地図上の屋根の領域７０４を変更する。
【００８７】
ユーザは、地図上の屋根の領域７０４が正しいことを確認して、ＯＫボタン７０６を選択する。ＯＫボタン７０６が選択されると、ユーザ装置１０２の修正設置領域提供部４１８は、ユーザにより修正された屋根の領域７０４を情報提供装置１０４に提供する。
【００８８】
図８は、Ｓ５５８におけるユーザ装置１０２の表示画面の一例を示す。表示部４０８は、プレビュー表示領域８００及び説明表示領域８０６を含む表示画面を表示する。表示制御部４０２は、撮像部４２８によって撮像されているプレビュー画像をプレビュー表示領域８００に表示させる。表示制御部４０２は、撮影の仕方についての説明を説明表示領域８０６に表示させる。例えば、プレビュー画像上に表示されている枠８０４内に屋根８０２が含まれるように撮影させるように誘導する。枠８０４の大きさ及び位置は、屋根の周囲に存在する屋根以外の有用な情報を含むように設定される。
【００８９】
図９は、Ｓ５７４におけるユーザ装置１０２の表示画面の一例を示す。表示部４０８は、価値表示領域９０２、契約年数表示領域９０４、材質表示領域９０６、築年数表示領域９０８、変更ボタン９１０、変更ボタン９１２、変更ボタン９１４、及びＯＫボタン９１６を含む表示画面を表示する。表示制御部４０２は、情報提供装置１０４の価値提供部３４２により提供された屋根の価値を価値表示領域９０２に表示させる。表示制御部４０２は、予め定められたデフォルト値の契約年数を契約年数表示領域９０４に表示させる。表示制御部４０２は、材質特定部３４１により特定された屋根の材質を材質表示領域９０６に表示させる。表示制御部４０２は、予め定められたデフォルト値の築年数を築年数表示領域９０８に表示させる。
【００９０】
ユーザは、変更ボタン９１０、変更ボタン９１２、及び変更ボタン９１４を用いて、契約年数、屋根の材質、及び築年数を修正して、ＯＫボタン９１６を選択する。ＯＫボタン９１６が選択されると、ユーザ装置１０２は、ユーザにより修正された契約年数、屋根の材質、及び築年数を情報提供装置１０４に提供する。情報提供装置１０４の価値提供部３４２により更新された屋根の価値が提供されると、表示制御部４０２は、屋根の価値を更新して価値表示領域９０２に表示させる。表示制御部４０２は、ユーザ装置１０２により取得された太陽電池パネルによる所定の期間における単位時間毎の発電量を時系列で表したグラフ又はその他の図を表示部４０８にさらに表示させてもよい。
【００９１】
図１０は、ユーザ装置１０２又は情報提供装置１０４のハードウェア構成の一例を示す。コンピュータ１０００にインストールされたプログラムは、コンピュータ１０００を、上記実施形態に係る装置の１又は複数の「部」として機能させ、又はコンピュータ１０００に、上記実施形態に係る装置に関連付けられるオペレーション又は当該１又は複数の「部」を実行させることができ、及び／又はコンピュータ１０００に、上記実施形態に係るプロセス又は当該プロセスの段階を実行させることができる。そのようなプログラムは、コンピュータ１０００に、本明細書で説明されているユーザ装置１０２又は情報提供装置１０４が備える機能のうちの一部又は全部を実行させるべく、ＣＰＵ１０１２によって実行されてよい。
【００９２】
本実施形態によるコンピュータ１０００は、ＣＰＵ１０１２、ＲＡＭ１０１４、及びグラフィックコントローラ１０１６を含み、それらはホストコントローラ１０１０によって相互に接続されている。コンピュータ１０００はまた、通信インタフェース１０２２、記憶装置１０２４、及びＩＣカードドライブのような入出力ユニットを含み、それらは入出力コントローラ１０２０を介してホストコントローラ１０１０に接続されている。記憶装置１０２４は、ハードディスクドライブ及びソリッドステートドライブ等であってよい。
【００９３】
コンピュータ１０００はまた、ＲＯＭ１０３０及び入力デバイス１０４２を含み、それらは入出力チップ１０４０を介して入出力コントローラ１０２０に接続されている。コンピュータ１０００がユーザ装置１０２として機能する場合、入力デバイス１０４２は、例えば、タッチパネルディスプレイである。コンピュータ１０００が情報提供装置１０４として機能する場合、入力デバイス１０４２は、例えば、キーボードである。
【００９４】
ＣＰＵ１０１２は、ＲＯＭ１０３０及びＲＡＭ１０１４内に格納されたプログラムに従い動作し、それにより各ユニットを制御する。グラフィックコントローラ１０１６は、ＲＡＭ１０１４内に提供されるフレームバッファ等又はそれ自体の中に、ＣＰＵ１０１２によって生成されるイメージデータを取得し、イメージデータがディスプレイデバイス１０１８上に表示されるようにする。
【００９５】
通信インタフェース１０２２は、ネットワーク１１４を介して他の電子デバイスと通信する。記憶装置１０２４は、コンピュータ１０００内のＣＰＵ１０１２によって使用されるプログラム及びデータを格納する。ＩＣカードドライブは、プログラム及びデータをＩＣカードから読み取り、及び／又はプログラム及びデータをＩＣカードに書き込む。
【００９６】
ＲＯＭ１０３０はその中に、アクティブ化時にコンピュータ１０００によって実行されるブートプログラム等、及び／又はコンピュータ１０００のハードウェアに依存するプログラムを格納する。入出力チップ１０４０はまた、様々な入出力ユニットをＵＳＢポート、パラレルポート、シリアルポート、キーボードポート、マウスポート等を介して、入出力コントローラ１０２０に接続してよい。
【００９７】
プログラムは、ＤＶＤ−ＲＯＭ又はＩＣカードのようなコンピュータ可読記憶媒体によって提供される。プログラムは、コンピュータ可読記憶媒体から読み取られ、コンピュータ可読記憶媒体の例でもある記憶装置１０２４、ＲＡＭ１０１４、又はＲＯＭ１０３０にインストールされ、ＣＰＵ１０１２によって実行される。これらのプログラム内に記述される情報処理は、コンピュータ１０００に読み取られ、プログラムと、上記様々なタイプのハードウェアリソースとの間の連携をもたらす。装置又は方法が、コンピュータ１０００の使用に従い情報のオペレーション又は処理を実現することによって構成されてよい。
【００９８】
例えば、通信がコンピュータ１０００及び外部デバイス間で実行される場合、ＣＰＵ１０１２は、ＲＡＭ１０１４にロードされた通信プログラムを実行し、通信プログラムに記述された処理に基づいて、通信インタフェース１０２２に対し、通信処理を命令する。通信インタフェース１０２２は、ＣＰＵ１０１２の制御の下、ＲＡＭ１０１４、記憶装置１０２４、ＤＶＤ−ＲＯＭ、又はＩＣカードのような記録媒体内に提供される送信バッファ領域に格納された送信データを読み取り、読み取られた送信データをネットワーク１１４に送信し、又はネットワーク１１４から受信した受信データを記録媒体上に提供される受信バッファ領域等に書き込む。
【００９９】
また、ＣＰＵ１０１２は、記憶装置１０２４、ＩＣカード等のような外部記録媒体に格納されたファイル又はデータベースの全部又は必要な部分がＲＡＭ１０１４に読み取られるようにし、ＲＡＭ１０１４上のデータに対し様々なタイプの処理を実行してよい。ＣＰＵ１０１２は次に、処理されたデータを外部記録媒体にライトバックしてよい。
【０１００】
様々なタイプのプログラム、データ、テーブル、及びデータベースのような様々なタイプの情報が記録媒体に格納され、情報処理を受けてよい。ＣＰＵ１０１２は、ＲＡＭ１０１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１０１４に対しライトバックする。また、ＣＰＵ１０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１０１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得する。
【０１０１】
本明細書で説明されているプログラム又はソフトウェアモジュールは、コンピュータ１０００上又はコンピュータ１０００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワーク１１４を介してコンピュータ１０００に提供する。
【０１０２】
本明細書で説明されている図面に表された各ブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含む。
【０１０３】
コンピュータ可読記憶媒体は、適切なデバイスによって実行される命令を格納可能な任意の有形なデバイスを含んでよく、その結果、そこに格納される命令を有するコンピュータ可読記憶媒体は、本明細書で説明されているオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【０１０４】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１０５】
コンピュータ可読命令は、汎用コンピュータ、特殊目的のコンピュータ、若しくは他のプログラム可能なデータ処理装置のプロセッサ、又はプログラマブル回路が、本明細書で説明されているオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【０１０６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０８】
１００  システム、１０２  ユーザ装置、１０４  情報提供装置、１０６  地図データベース、１０８  航空写真データベース、１１０  画像データベース、１１２  日射量データベース、１１４  ネットワーク、１１８  太陽電池パネル、１２０  設置場所、２００  作業工程、３００  通信部、３０２  位置取得部、３０４  領域特定部、３０６  地図データ取得部、３０８  航空写真データ取得部、３１０  設置領域提供部、３１２  形状特定部、３１４  画像取得部、３１６  画像提供部、３１８  撮影要求情報生成部、３２０  撮影要求情報提供部、３２４  発電量特定部、３２６  面積導出部、３２８  方位特定部、３３０  日射量特定部、３３２  発電量導出部、３３６  日射量データ取得部、３３８  発電量提供部、３４０  価値導出部、３４１  材質特定部、３４２  価値提供部、４００  通信部、４０２  表示制御部、４０４  地図データ取得部、４０６  航空写真データ取得部、４０８  表示部、４１０  入力制御部、４１２  入力部、４１４  設置位置提供部、４１６  設置領域取得部、４１８  修正設置領域提供部、４２０  画像取得部、４２２  選択画像提供部、４２４  撮影制御部、４２６  撮影要求情報取得部、４２８  撮像部、４３０  撮像画像提供部、６０２  地図表示領域、６０４  住所入力領域、６０６  ＧＰＳ検索ボタン、６０８  マーク、６１０  ＯＫボタン、７０２  地図表示領域、７０４  屋根の領域、７０６  ＯＫボタン、８００  プレビュー表示領域、８０２  屋根、８０４  枠、８０６  説明表示領域、９０２  価値表示領域、９０４  契約年数表示領域、９０６  材質表示領域、９０８  築年数表示領域、９１０  変更ボタン、９１２  変更ボタン、９１４  変更ボタン、９１６  ＯＫボタン、１０００  コンピュータ、１０１０  ホストコントローラ、１０１２  ＣＰＵ、１０１４  ＲＡＭ、１０１６  グラフィックコントローラ、１０１８  ディスプレイデバイス、１０２０  入出力コントローラ、１０２２  通信インタフェース、１０２４  記憶装置、１０３０  ＲＯＭ、１０４０  入出力チップ、１０４２  入力デバイス
【図１】
2020135844.tif 000004
【図２】
2020135844.tif 000005
【図３】
2020135844.tif 000006
【図４】
2020135844.tif 000007
【図５Ａ】
2020135844.tif 000008
【図５Ｂ】
2020135844.tif 000009
【図５Ｃ】
2020135844.tif 000010
【図５Ｄ】
2020135844.tif 000011
【図６】
2020135844.tif 000012
【図７】
2020135844.tif 000013
【図８】
2020135844.tif 000014
【図９】
2020135844.tif 000015
【図１０】
2020135844.tif 000016